(57)【要約】【課題】車両に搭載された二次電池の残容量または劣化度合をより正確に検出可能にする。【解決手段】電池制御装置は、車両の運行停止中に、車両に搭載された二次電池の電圧値が予め定められた放電終止電圧値に到達するまで二次電池を放電させる放電制御部と、予め定められた特定方法に基づいて放電制御部による放電前の二次電池の残容量を第１残容量として特定する第１残容量特定部と、二次電池の放電量を測定する放電量測定部と、放電制御部による放電の間に放電量測定部により測定された放電量に基づいて、放電制御部による放電前の二次電池の残容量を第２残容量として特定する第２残容量特定部と、第１残容量と第２残容量との差分に基づいて特定方法を補正する特定方法補正部とを備える。【選択図】図１
2011240896.tif 000002
【特許請求の範囲】
【請求項１】
車両の運行停止中に、前記車両に搭載された二次電池の電圧値が予め定められた放電終止電圧値に到達するまで前記二次電池を放電させる放電制御部と、
予め定められた特定方法に基づいて前記放電制御部による放電前の前記二次電池の残容量を第１残容量として特定する第１残容量特定部と、
前記二次電池の放電量を測定する放電量測定部と、
前記放電制御部による放電の間に前記放電量測定部により測定された放電量に基づいて、前記放電制御部による放電前の前記二次電池の残容量を第２残容量として特定する第２残容量特定部と、
前記第１残容量と前記第２残容量との差分に基づいて前記特定方法を補正する特定方法補正部と
を備える電池制御装置。
【請求項２】
前記第１残容量特定部は、前記特定方法に基づいて前記車両の運行中の前記二次電池の残容量を特定し、前記車両の運行停止直前の前記二次電池の残容量を前記第１残容量として特定する
請求項１に記載の電池制御装置。
【請求項３】
前記二次電池の温度を取得する温度取得部をさらに備え、
前記特定方法補正部は、前記差分と前記温度とに基づいて前記特定方法を補正する
請求項１または請求項２に記載の電池制御装置。
【請求項４】
前記温度取得部により取得された前記放電制御部による放電中における温度を保持する温度保持部をさらに備え、
前記特定方法補正部は、前記温度保持部が保持する前記放電中における温度と前記差分とに基づいて前記特定方法を補正する
請求項３に記載の電池制御装置。
【請求項５】
前記温度保持部は、前記温度取得部により取得された前記車両の運行中の温度をさらに保持し、
前記特定方法補正部は、前記温度保持部が保持する前記放電中における温度、前記運行中の温度、および前記差分に基づいて前記特定方法を補正する
請求項４に記載の電池制御装置。
【請求項６】
前記第１残容量特定部は、前記放電量測定部により測定された前記車両の運行中における前記二次電池の放電量を、前記二次電池の予め定められた充電終止電圧値における満充電量から減算することで、前記車両の運行中における前記二次電池の残容量を特定する
請求項１から請求項５のいずれか１つに記載の電池制御装置。
【請求項７】
前記二次電池の電圧値が前記放電終止電圧値から予め定められた充電終止電圧値に到達するまで前記二次電池が充電される場合における前記二次電池の充電量を測定する充電量測定部と、
前記充電量測定部により測定された充電量に基づいて前記満充電量を特定する満充電量特定部と
をさらに備え、
前記第１残容量特定部は、前記満充電量特定部により特定された前記満充電量から前記放電量を減算することで、前記残容量を特定する
請求項６に記載の電池制御装置。
【請求項８】
前記二次電池に関する情報を収集するサーバに、前記差分を示すデータを送信する送信部をさらに備える
請求項７に記載の電池制御装置。
【請求項９】
前記放電制御部は、前記車両の運行停止後、予め定められた期間が経過した後に、前記二次電池を放電させる
請求項１から請求項８のいずれか１つに記載の電池制御装置。
【請求項１０】
車両に搭載された二次電池と、前記車両の運行中に前記二次電池からの電力の供給を受けて動作する負荷装置とを、前記車両の運行停止中に電気的に接続する接続制御部と、
前記接続制御部により前記二次電池と前記負荷装置とが電気的に接続された後、異なる２つのタイミングにおける前記二次電池の電圧値を第１電圧値および第２電圧値として取得する電圧値取得部と、
前記第１電圧値および前記第２電圧値に基づいて前記二次電池の劣化状態を特定する劣化状態特定部と
を備える電池制御装置。
【請求項１１】
前記第１電圧値と前記第２電圧値と前記二次電池の劣化状態との相関関係を保持する相関関係保持部をさらに備え、
前期劣化状態特定部は、前記相関関係に基づいて前記電圧値取得部により取得された前記第１電圧値および前記第２電圧値に対応する前記二次電池の劣化状態を特定する
請求項１０に記載の電池制御装置。
【請求項１２】
前記負荷装置は、前記車両の駆動源となるモータであり、
前記接続制御部は、前記二次電池と前記モータとを電気的に接続し、前記モータが有する励磁コイルに電流を供給する
請求項１０または請求項１１に記載の電池制御装置。
【請求項１３】
前記劣化状態特定部により特定された前記二次電池の劣化状態を示す情報を前記二次電池に関する情報を収集するサーバに送信する送信部をさらに備える
請求項１０から請求項１２のいずれか１つに記載の電池制御装置。
【請求項１４】
請求項１から請求項１３のいずれか１つに記載の前記電池制御装置と、
前記二次電池と
を備える車両。
【発明の詳細な説明】
【技術分野】
【０００１】
本発明は、車両に搭載された二次電池を制御する電池制御装置に関する。
【背景技術】
【０００２】
従来、車両に搭載された二次電池の残容量または二次電池の劣化状態を検出する方法が種々提案されている。
特許文献１  特開２００６−１９４７８９号公報
特許文献２  特開２００８−１７９２８４号公報
【発明の概要】
【発明が解決しようとする課題】
【０００３】
二次電池の残容量は、例えば二次電池の内部抵抗の大きさの違いによっても変化し、二次電池の内部抵抗は温度によっても変化する。さらに、車両が運行中の場合、周囲環境の変化が比較的多く、二次電池の温度は一定になりにくい。したがって、車両に搭載された二次電池の残容量または劣化状態を正確に検出することは容易ではない。
【０００４】
本発明は、車両に搭載された二次電池の残容量または劣化度合をより正確に検出可能にする。
【課題を解決するための手段】
【０００５】
本発明に係る電池制御装置の一つの態様では、車両の運行停止中に、車両に搭載された二次電池の電圧値が予め定められた放電終止電圧値に到達するまで二次電池を放電させる放電制御部と、予め定められた特定方法に基づいて放電制御部による放電前の二次電池の残容量を第１残容量として特定する第１残容量特定部と、二次電池の放電量を測定する放電量測定部と、放電制御部による放電の間に放電量測定部により測定された放電量に基づいて、放電制御部による放電前の二次電池の残容量を第２残容量として特定する第２残容量特定部と、第１残容量と第２残容量との差分に基づいて特定方法を補正する特定方法補正部とを備える。
【０００６】
上記の電池制御装置において、第１残容量特定部は、特定方法に基づいて車両の運行中の二次電池の残容量を特定し、車両の運行停止直前の二次電池の残容量を第１残容量として特定してもよい。
【０００７】
上記の電池制御装置において、二次電池の温度を取得する温度取得部をさらに備え、特定方法補正部は、差分と温度とに基づいて特定方法を補正してもよい。
【０００８】
上記の電池制御装置において、温度取得部により取得された放電制御部による放電中における温度を保持する温度保持部をさらに備え、特定方法補正部は、温度保持部が保持する放電中における温度と差分とに基づいて特定方法を補正してもよい。
【０００９】
上記の電池制御装置において、温度保持部は、温度取得部により取得された車両の運行中の温度をさらに保持し、特定方法補正部は、温度保持部が保持する放電中における温度、運行中の温度、および差分に基づいて特定方法を補正してもよい。
【００１０】
上記の電池制御装置において、第１残容量特定部は、放電量測定部により測定された車両の運行中における二次電池の放電量を、二次電池の予め定められた充電終止電圧値における満充電量から減算することで、車両の運行中における二次電池の残容量を特定してもよい。
【００１１】
上記の電池制御装置は、二次電池の電圧値が前記放電終止電圧値から予め定められた充電終止電圧値に到達するまで二次電池が充電される場合における二次電池の充電量を測定する充電量測定部と、充電量測定部により測定された充電量に基づいて満充電量を特定する満充電量特定部とをさらに備え、第１残容量特定部は、満充電量特定部により特定された満充電量から放電量を減算することで、残容量を特定してもよい。
【００１２】
上記の電池制御装置は、二次電池に関する情報を収集するサーバに、差分を示すデータを送信する送信部をさらに備えてもよい。
【００１３】
上記の電池制御装置において、放電制御部は、車両の運行停止後、予め定められた期間が経過した後に、二次電池を放電させてもよい。
【００１４】
本発明に係る電池制御装置の１つの態様では、車両に搭載された二次電池と、車両の運行中に二次電池からの電力の供給を受けて動作する負荷装置とを、車両の運行停止中に電気的に接続する接続制御部と、接続制御部により二次電池と負荷装置とが電気的に接続された後、異なる２つのタイミングにおける二次電池の電圧値を第１電圧値および第２電圧値として取得する電圧値取得部と、第１電圧値および第２電圧値に基づいて二次電池の劣化状態を特定する劣化状態特定部とを備える。
【００１５】
上記の電池制御装置は、第１電圧値と前記第２電圧値と前記二次電池の劣化状態との相関関係を保持する相関関係保持部をさらに備え、劣化状態特定部は、相関関係に基づいて電圧値取得部により取得された第１電圧値および第２電圧値に対応する二次電池の劣化状態を特定してもよい。
【００１６】
上記の電池制御装置において、負荷装置は、車両の駆動源となるモータであり、接続制御部は、二次電池とモータとを電気的に接続し、モータが有する励磁コイルに電流を供給してもよい。
【００１７】
上記の電池制御装置は、劣化状態特定部により特定された二次電池の劣化状態を示す情報を二次電池に関する情報を収集するサーバに送信する送信部をさらに備えてもよい。
【００１８】
本発明に係る車両の１つの態様では、上記の電池制御装置と、二次電池とを備える。
【００１９】
なお、上記の発明の概要は、本発明の必要な特徴の全てを列挙したものではない。また、これらの特徴群のサブコンビネーションもまた、発明となりうる。
【図面の簡単な説明】
【００２０】
【図１】本実施形態に係る電気自動車の概略構成を示す図である。
【図２】電池ＥＣＵの機能ブロックを示す図である。
【図３】二次電池の電圧降下の様子を示す図である。
【図４】温度保持部が保持する温度情報の一例を示す図である。
【図５】特定方法を補正する手順を示すフローチャートである。
【図６】二次電池の劣化状態を特定する手順を示すフローチャートである。
【発明を実施するための形態】
【００２１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００２２】
図１は、本実施形態に係る電気自動車の概略構成を示す。なお、本実施形態では、電動車両の１つである電気自動車を例に説明するが、駆動源としてモータジェネレータを備える他の電動車両にも本実施形態は適用することができる。
【００２３】
電気自動車は、二次電池１０を搭載する。二次電池１０は、ニッケル水素二次電池、リチウムイオン二次電池でもよい。二次電池１０は、直列および並列に接続された複数の電池ブロックを有する。複数の電池ブロックは、それぞれ、電気的に直列および並列に接続された複数の電池モジュールを含む。電池モジュールは、電気的に直列および並列に接続された複数の単電池（セル）を含む。なお、二次電池１０の構成は上記に限定されるものではない。
【００２４】
二次電池１０からの電力は、リレー２０、インバータ３０を介してモータジェネレータ４０に供給される。モータジェネレータ４０からの動力はドライブシャフトを介して車輪に伝達される。また、電気自動車が減速する場合にモータジェネレータ４０で発生する回生電力はインバータ３０、リレー２０を介して二次電池１０に充電される。なお、電気自動車の構成は、上記に限定されない。例えば、モータがホイール内に配置されたインホイールモータ方式の電気自動車でもよい。
【００２５】
電気自動車は、電池ＥＣＵ１００、メインＥＣＵ２００、およびブレーキＥＣＵ３００を備える。電池ＥＣＵ１００は、二次電池１０の端子間の電圧値Ｖを電圧センサ６０を介して取得する。電池ＥＣＵ１００は、二次電池１０に対する充電電流Ｉｃおよび放電電流Ｉｄを含む充放電電流値Ｉを電流センサ６２を介して取得する。さらに、電池ＥＣＵ１００は、二次電池１０の表面の温度Ｔを温度センサ６４を介して取得する。なお、本実施形態では、電圧センサ６０および温度センサ６４が二次電池１０に対して１つ設けられる例について説明する。しかし、二次電池１０を構成する、電池ブロック毎、電池モジュール毎、またはセル毎に電圧センサ６０および／または温度センサ６４を設けてもよい。
【００２６】
電池ＥＣＵ１００は、電圧値Ｖ、充電電流Ｉｃおよび放電電流Ｉｄを含む充放電電流値Ｉ、温度Ｔなどの情報に基づいて、二次電池１０の残容量、充電状態、または劣化状態などを特定し、電圧値Ｖ、充放電電流値Ｉ、温度Ｔなどの情報とともにメインＥＣＵ２００に送信する。メインＥＣＵ２００は、電気自動車の走行、停止などの運行を制御すべく、電池ＥＣＵ１００からの情報などに基づいてインバータ３０などを制御する。ブレーキＥＣＵ３００は、ブレーキペダルを介してブレーキペダル信号の入力を受けて、ブレーキペダル信号に基づいてブレーキシステム５０を制御することで、電気自動車を減速させる。
【００２７】
なお、電気自動車が減速する場合、メインＥＣＵ２００は、モータジェネレータ３０において発生した回生エネルギーを二次電池１０に充電する回生制御をすべく、インバータ３０等を制御する。電池ＥＣＵ１００は、回生制御による二次電池１０の充電中も、電圧値Ｖ、充放電電流Ｉなどに基づいて充電量を測定し、充電量二次電池１０の残容量を特定する。
【００２８】
上記のように構成された電気自動車において、二次電池１０の残容量をより正確に検知すべく、電気自動車が運行停止中に、電池ＥＣＵ１００が二次電池１０を放電させ、放電中に測定された放電量に基づいて、残容量を特定するための関数に対して与えられる補正係数ｋ、ルックアップテーブルに示される値などを補正することで、予め定められた特定方法を補正する。なお、運行停止中とは、電気自動車を起動させるための起動スイッチがオフ状態の期間のことをいう。また、運行中とは、起動スイッチがオン状態の期間のことをいう。
【００２９】
さらに、電池ＥＣＵ１００は、電気自動車が運行停止中に、ブレーキシステム５０を作動させてモータジェネレータ４０の回転が固定された状態で、二次電池１０とモータジェネレータ４０とを電気的に接続し、二次電池１０に高負荷をかける。電池ＥＣＵ１００は、高負荷がかけられた場合の二次電池１０の電圧値Ｖの変化量に基づいて二次電池１０の劣化状態を特定する。
【００３０】
図２は、電池ＥＣＵ１００の機能ブロックを示す。充電量測定部１０２は、充電電流Ｉｃ、電圧値Ｖおよび充電時間Ｈｃに基づいて、二次電池１０に充電された充電量を測定する。なお、充電量測定部１０２は、充電電流Ｉおよび電圧値Ｖとして、平均値、二乗平均値、移動平均値を用いてもよい。充電量測定部１０２は、充電電流Ｉと電圧値Ｖとを乗算した値を充電時間Ｈｃで積分することで充電量を測定してもよい。満充電量特定部１０４は、二次電池１０の電圧値Ｖが定められた放電終止電圧値の状態から充電終止電圧値に到達するまでの充電量を特定することで、二次電池１０の満充電量を特定する。なお、満充電量特定部１０４は、二次電池１０を構成するいずれかのセル、電池モジュールあるいは電池ブロックの電圧値が充電終止電圧値に到達するまでの充電量を特定することで、二次電池１０の満充電量を特定してもよい。
【００３１】
放電量測定部１０６は、放電電流Ｉｄ、電圧値Ｖおよび放電時間Ｈｄに基づいて、二次電池１０が放電した放電量を測定する。なお、充電量測定部１０２は、放電電流Ｉｄおよび電圧値Ｖとして、平均値、二乗平均値、移動平均値を用いてもよい。放電量測定部１０６は、放電電流Ｉｄと電圧値Ｖとを乗算した値を放電時間Ｈｄで積分することで放電量を測定してもよい。第１残容量特定部１０８は、電気自動車が運行中に、二次電池１０の残容量を特定する。より具体的には、第１残容量特定部１０８は、満充電量特定部１０４から提供される満充電量から、放電量測定部１０６から提供される放電量を減算することで残容量を特定する。残容量保持部１１２は、第１残容量特定部１０８により特定された残容量を保持する。なお、放電量測定部１０６は、電気自動車が運行停止する直前、つまり起動スイッチがオフされる直前に特定された残容量を放電前の第１残容量Ｃａとして残容量保持部１１２に登録する。
【００３２】
第２残容量特定部１１０は、電気自動車が運行停止中に、後述の放電制御部１２４が二次電池１０を放電させている間に、放電量測定部１０６により測定される放電量を、放電前の二次電池の第２残容量Ｃｂとして特定する。
【００３３】
放電制御部１２４は、二次電池１０の状態を安定させるべく、電気自動車が運行停止してから予め定められた基準期間、例えば、２時間待機し、基準期間経過後に、二次電池１０の電圧値Ｖが放電終止電圧値に到達するまで二次電池１０を放電させる。なお、放電制御部１２４は、二次電池１０を構成するいずれかのセル、電池モジュールあるいは電池ブロックの電圧値が放電終止電圧値に到達した場合に、二次電池１０の電圧値Ｖが放電終止電圧値に到達したと判断してもよい。放電制御部１２４は、例えば、クラッチを切った状態、またはブレーキをかけた状態で二次電池１０とモータジェネレータ４０とを接続し、モータジェネレータ４０が備える励磁コイルに電流を流すことで、二次電池１０を放電させる。電気自動車が蓄電装置として外部の電気機器に電力を供給可能な場合には、放電制御部１２４は、電気自動車を蓄電装置として機能させ、二次電池１０からの電力を外部の電気機器に供給することで、二次電池１０を放電させてもよい。
【００３４】
温度取得部１１４は、温度センサ６４から二次電池１０の表面の温度Ｔを定期的、例えば、１秒毎に取得し、取得した時刻を示す時刻情報とともに温度保持部１１６に登録する。
【００３５】
特定方法補正部１１８は、特定方法を補正すべく、放電制御部１２４により二次電池１０が放電される直前の第１残容量Ｃａ、第２残容量Ｃｂ、温度Ｔに基づいて第１残容量特定部１０８が残容量を算出する場合に利用する補正係数ｋを特定する。ここで、放電制御部１２４により二次電池１０が放電される直前の第１残容量Ｃａと、放電制御部１２４により二次電池１０が放電されたことに伴う放電量に対応する第２残容量Ｃｂとは、同一の値である。しかし、二次電池１０の残容量は、例えば二次電池１０の内部抵抗の大きさの違いによって変化し、二次電池１０の内部抵抗は温度によっても変化する。さらに、電気自動車が運行中の場合、二次電池１０は充電および放電を繰り返す。また、周囲環境の変化が比較的多く、二次電池１０の温度は一定になりにくい。したがって、電気自動車が運行中に第１残容量特定部１０８により特定された第１残容量Ｃａは、電気自動車が運行停止中に第２残容量特定部１１０により特定された第２残容量Ｃｂに比べて誤差が生じやすい。そこで、特定方法補正部１１８は、第１残容量Ｃａと第２残容量Ｃｂとの差分ΔＣを算出し、差分ΔＣに基づいて補正係数ｋを特定し、補正係数保持部１２２に保持させる。
【００３６】
特定方法補正部１１８は、差分ΔＣを補正係数ｋとしてもよい。この場合、第１残容量特定部１０８は、満充電量から放電量測定部１０６から提供される放電量を減算した値に、差分ΔＣを加算することで、電気自動車が運行中の二次電池の残容量を算出してもよい。
【００３７】
また、上記の通り、二次電池１０の温度Ｔの違いによって残容量は変化する可能性がある。よって、特定方法補正部１１８は、運行中の二次電池１０の温度Ｔ、放電制御部１２４による放電中の二次電池１０の温度Ｔ、および差分ΔＣをパラメータとして、統計分類アルゴリズムまたはデータマインングにより、差分ΔＣが小さくなるような補正係数ｋを特定してもよい。つまり、特定方法補正部１１８は、運行中の二次電池１０の温度Ｔ、放電制御部１２４による放電中の二次電池１０の温度Ｔ、および差分ΔＣを継続的に集計し、差分ΔＣをゼロに近づけるべく、統計的な予想に基づき補正係数ｋを順次更新してもよい。特定方法補正部１１８は、運行中の二次電池１０の温度変化パターン、電気自動車の運行パターン毎に補正係数ｋを特定してもよい。なお、運行中の二次電池１０の温度Ｔ、放電制御部１２４による放電中の二次電池１０の温度Ｔは、それぞれの期間に測定される温度の平均温度でもよい。
【００３８】
接続制御部１５０は、二次電池１０の劣化状態を特定すべく、電気自動車が運行停止中に、ブレーキシステム５０によりモータジェネレータ４０の回転を固定した状態で、リレー２０を閉状態にして、二次電池１０とモータジェネレータ４０とを電気的に接続する。モータジェネレータ４０の回転を固定した状態で、二次電池１０とモータジェネレータ４０とが電気的に接続されると、二次電池１０には高負荷が印加された状態になる。二次電池１０を高負荷状態にすることで、いわゆるＩＲ（電流×内部抵抗）ドロップに基づいて二次電池１０の劣化状態を特定することができる。図３は、二次電池１０が高負荷状態になった場合に生じる二次電池１０の電圧降下の様子を示す。二次電池１０は、劣化が進行するほど電圧降下が生じやすい。つまり、電圧値Ｖの変化率が大きいほど二次電池１０の劣化が進行している可能性が高い。そこで、本実施形態では、電圧値Ｖの変化率の大きさに基づいて二次電池１０の劣化状態を特定する。
【００３９】
電圧値取得部１５２は、接続制御部１５０により二次電池１０が高負荷状態になった直後の少なくとも２つの異なるタイミングにおける二次電池１０の電圧値Ｖを取得し、劣化状態特定部１５４に提供する。相関関係保持部１５６は、電圧値Ｖの変化率と二次電池１０の劣化状態とを対応付けて保持する。劣化状態特定部１５４は、提供された複数の電圧値Ｖに基づいて電圧値Ｖの変化率を算出し、相関関係保持部１５６を参照することで、算出された変化率に対応する二次電池１０の劣化状態を特定する。なお、二次電池１０の劣化状態は、二次電池１０の残寿命でもよい。
【００４０】
なお、劣化状態特定部１５４は、図３に示すような、二次電池１０の電圧波形パターンを示す画像データに基づいて二次電池１０の劣化状態を特定してもよい。例えば、相関関係保持部１５６は、初期状態（出荷時）の二次電池１０の電圧波形パターンを示す画像データを予め保持してもよい。この場合、劣化状態特定部１５４は、二次電池１０を高負荷状態にした場合に、二次電池１０の電圧波形パターンを特定し、特定された電圧波形パターンに対応する画像データと、上記の初期状態の電圧波形パターンに対応する画像データとを比較し、一致度合に基づいて二次電池１０の劣化状態を特定してもよい。また、相関関係保持部１５６は、二次電池１０の劣化状態毎の基準電圧波形パターンの画像データを予め保持してもよい。この場合、劣化状態特定部１５４は、二次電池１０を高負荷状態にした場合に、二次電池１０の電圧波形パターンを特定し、特定された電圧波形パターンと一致度合が最も高い基準電圧波形パターンを特定することで、二次電池１０の劣化状態を特定してもよい。また、相関関係保持部１５６は、電池ブロック毎、電池モジュール毎、またはセル毎に、劣化状態毎の基準電圧波形パターンの画像データを予め保持してもよい。この場合、劣化状態特定部１５４は、二次電池１０を高負荷状態にした場合に、電池ブロック毎、電池モジュール毎、またはセル毎に二次電池１０の電圧波形パターンを特定し、特定されたそれぞれの電圧波形パターンと一致度合が最も高い基準電圧波形パターンをそれぞれ特定することで、電池ブロック毎、電池モジュール毎、またはセル毎に劣化状態を特定してもよい。
【００４１】
送信部１３０は、二次電池１０の状態に関する情報を予め定められた送信先に送信する。二次電池１０の状態に関する情報は、差分ΔＣ、満充電量特定部１０４により特定された二次電池１０の満充電量、および劣化状態特定部１５４により特定された二次電池１０の劣化状態を含んでもよい。また、送信先は、例えば、電気自動車をメンテナンスするために必要な情報を収集するサーバでもよい。
【００４２】
図４は、温度保持部１１６が保持する温度情報の一例を示す。温度保持部１１６は、温度取得部１１４が周期的に取得した二次電池１０の温度Ｔ、温度Ｔを取得した時刻、及び温度Ｔを取得した時刻における電気自動車の運行状態を関連付けて保持してもよい。電気自動車の運行状態は、運行中、運行停止中、運行停止中における放電開始、放電中および放電終了、充電開始、充電中および充電終了を含んでもよい。特定方法補正部１１８は、温度保持部１１６を参照することで、電気自動車の運行状態と、二次電池１０の温度Ｔとの相関関係を特定することができる。
【００４３】
図５は、電気自動車が運行停止した後、つまり、起動スイッチがオフされた後に実行される特定方法の補正手順を示すフローチャートである。
【００４４】
放電制御部１２４は、運行停止してから基準期間が経過したか否かを判定する（Ｓ１００）。経過していれば、放電制御部１２４は、二次電池１０の電圧値Ｖが放電終止電圧値に到達するまで二次電池１０を放電させる（Ｓ１０２）。放電量測定部１０６は、放電制御部１２４が二次電池１０の放電を開始してから放電を終了するまでの間の二次電池１０の放電量を測定し、第２残容量特定部１１０が測定された放電量を第２残容量Ｃｂとして特定する。特定方法補正部１１８は、残容量保持部１１２を参照して、運行停止直前に第１残容量特定部１０８により特定された残容量を第１残容量Ｃａとして特定する。さらに、特定方法補正部１１８は、第１残容量Ｃａと第２残容量Ｃｂとの差分ΔＣを算出し、差分保持部１２０に登録する（Ｓ１０６）。特定方法補正部１１８は、温度保持部１１６および差分保持部１２０を参照して、電気自動車の運行中の温度Ｔ、放電中の温度Ｔ、差分ΔＣに基づいて、例えば統計分類アルゴリズムまたはデータマイニングにより、差分ΔＣを小さくできる補正係数ｋを特定する（Ｓ１０８）。
【００４５】
以上の通り、本実施形態では、二次電池１０の状態を安定させるべく、電気自動車が運行停止してから予め定められた期間が経過するまで放電制御部１２４は待機する。その後、放電制御部１２４は、比較的安定した状態の二次電池１０を放電させる。なお、放電制御部１２４は、二次電池１０の温度の変化率が予め定められた変化率より小さくなった場合など二次電池１０の温度が一定になったことを検知したことに対応して、二次電池１０の放電を開始してもよい。第２残容量特定部１１０は、放電中の放電量に基づいて第２残容量Ｃｂを特定する。第２残容量Ｃｂは、比較的安定した状態の二次電池１０を実際に放電させることで、測定された放電量に基づく値である。したがって、第１残容量Ｃａよりも正確な値である可能性が高い。よって、第１残容量Ｃａが第２残容量Ｃｂに近づくような、補正係数ｋが設定されることで、電気自動車の運行中の二次電池１０の残容量がより正確に特定される。
【００４６】
なお、上記の通り、放電制御部１２４により二次電池１０の電圧値が放電終止電圧値まで低下している。そこで、電気自動車を再び運行させるためには、二次電池１０を再び充電する必要がある。よって、補正係数ｋが特定された後、電池ＥＣＵ１００は、二次電池１０の電圧値Ｖが充電終止電圧値に到達するまで二次電池１０を充電させる。なお、電池ＥＣＵ１００は、二次電池１０を構成するいずれかのセル、電池モジュールあるいは電池ブロックの電圧値が充電終止電圧値に到達した段階で、二次電池１９の充電を終了してもよい。二次電池１０の充電は、急速充電器により実行されてもよい。また、満充電量特定部１０４は、補正係数ｋが特定された後に実行される二次電池１０の充電時に、二次電池１０の満充電量を特定してもよい。
【００４７】
図６は、電気自動車が運行停止した後、二次電池１０の劣化状態を特定する手順を示すフローチャートである。
【００４８】
接続制御部１５０は、運行停止してから基準期間が経過したか否かを判定する（Ｓ２００）。経過していれば、接続制御部１５０は、メインＥＣＵ２００を介してブレーキＥＣＵ３００にブレーキシステム５０を作動させて、モータジェネレータ４０の回転を固定させた状態にすべくブレーキ信号を出力する。次いで、接続制御部１５０は、モータジェネレータ４０の回転が固定された状態で、リレー２０を閉状態にすることで、二次電池１０とモータジェネレータ４０とを電気的に接続し、モータジェネレータ４０が備える励磁コイルに電流を流す（Ｓ２０２）。なお、接続制御部１５０は、励磁コイルに電流が流れ、かつ電気自動車が停止状態を維持できるのであれば、モータジェネレータ４０の回転を固定しなくてもよい。電圧値取得部１５２は、二次電池１０とモータジェネレータ４０とが電気的に接続された直後の発生する電圧降下の降下率、つまり、二次電池１０の電圧値の変化率を測定すべく、異なる複数のタイミングの二次電池１０の電圧値Ｖを取得し、劣化状態特定部１５４に提供する。劣化状態特定部１５４は、複数の電圧値Ｖに基づいて電圧値Ｖの変化率を算出し、相関関係保持部１５６を参照して、算出された変化率に対応する二次電池１０の劣化状態を特定する（Ｓ２０４）。
【００４９】
以上の通り、本実施形態では、二次電池１０の状態を安定させるべく、電気自動車が運行停止してから予め定められた期間が経過するまで接続制御部１５０は待機する。その後、接続制御部１５０は、比較的安定した状態の二次電池１０に対して高負荷をかけ、二次電池１０にＩＲドロップを発生させ、二次電池１０の劣化状態、あるいは電池ブロック毎、電池モジュール毎、またはセル毎の劣化状態を特定する。このように、比較的安定した状態の二次電池１０に対して劣化状態が判定されるので、より正確に二次電池１０の劣化状態、あるいは電池ブロック毎、電池モジュール毎、またはセル毎の劣化状態が特定される。
【００５０】
なお、上記の説明では、特定方法の補正と、劣化状態の特定とがそれぞれ個別に実行される例について説明した。しかし、補正係数ｋが特定され、二次電池１０の充電が終了したことに対応して、二次電池１０の劣化状態の特定が実行されてもよい。また、特定方法の補正、および劣化状態の特定はそれぞれ運行停止後、基準期間経過後に実行される例について説明した。しかし、特定方法の補正、および劣化状態の特定はそれぞれ運行停止直後に実行してもよい。
【００５１】
また、電気自動車の運行停止中における電池ＥＣＵ１００、メインＥＣＵ２００、ブレーキＥＣＵ３００などへの電力は、電気自動車が備える補機バッテリから供給されてもよい。
【００５２】
さらに、本実施形態では、二次電池１０とモータジェネレータ４０とを電気的に接続する例について説明したが、モータジェネレータ４０以外の負荷装置を二次電池１０に電気的に接続してもよい。負荷装置として、例えば、電気自動車に搭載された空調装置を利用してもよい。
【００５３】
二次電池１０は、過充電状態または過放電状態になると、二次電池１０の寿命が短くなる可能性がある。そこで、二次電池１０の残容量が正確に把握されれば、電気自動車が運行中に、二次電池１０が過充電状態また過放電状態になりにくくでき、二次電池１０の寿命の短縮を抑制することができる。
【００５４】
また、二次電池１０の劣化状態が正確に把握されることで、電気自動車のメンテナンスが容易になる。
【００５５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５７】
１０  二次電池
２０  リレー
３０  インバータ
４０  モータジェネレータ
５０  ブレーキシステム
６０  電圧センサ
６２  電流センサ
６４  温度センサ
１００  電池ＥＣＵ
１０２  充電量測定部
１０４  満充電量特定部
１０６  放電量測定部
１０８  第１残容量特定部
１１０  第２残容量特定部
１１２  残容量保持部
１１４  温度取得部
１１６  温度保持部
１１８  特定方法補正部
１２０  差分保持部
１２２  補正係数保持部
１２４  放電制御部
１３０  送信部
１５０  接続制御部
１５２  電圧値取得部
１５４  劣化状態特定部
１５６  相関関係保持部
２００  メインＥＣＵ
３００  ブレーキＥＣＵ
【図１】
2011240896.tif 000003
【図２】
2011240896.tif 000004
【図３】
2011240896.tif 000005
【図４】
2011240896.tif 000006
【図５】
2011240896.tif 000007
【図６】
2011240896.tif 000008